(57)【要約】【課題】硬質な外装部による高級感と、弾性体による弾力性とを有するだけではなく、指へのフィット感を向上させた把持部を備える筆記具を提供する。【解決手段】筆記具１は、筆記具の軸線Ｘを中心として放射方向Ｂに複数の溝部５１が形成された硬質の軸筒５０と、溝部５１の各々に配置された硬質の駒部材５６、５７と、溝部５１の底面と駒部材５６、５７の底面との間に配置されていて筆記具の径方向Ｂにおける駒部材５６、５７の移動を可能にする弾性体２４と、を有する把持部２０を備える。【選択図】図６
2018069567.tif 000002
【特許請求の範囲】
【請求項１】
把持部に特徴を有する筆記具であって、前記筆記具の軸線を中心として放射方向に複数の溝部が形成された硬質の軸筒と、前記溝部の各々に配置された硬質の駒部材と、前記溝部の底面と前記駒部材の底面との間に配置されていて前記筆記具の径方向における前記駒部材の移動を可能にする弾性体と、を有する把持部を備えることを特徴とする筆記具。
【請求項２】
前記駒部材が、前記溝部において軸線方向で直列に複数配置されている、請求項１に記載の筆記具。
【請求項３】
前記溝部の底面と前記駒部材の底面との少なくとも一方に窪部を有する、請求項１又は２に記載の筆記具。
【請求項４】
前記溝部が、前記筆記具の径方向において、前記軸筒の外部側に形成した巾狭部と、前記巾狭部の内部側に隣設した巾広部と、を有し、前記駒部材が、前記巾狭部に配置される脚部と、前記脚部から延設されていて前記巾広部に配置される抜止部と、を有する、請求項１〜３のいずれか１項に記載の筆記具。
【発明の詳細な説明】
【技術分野】
【０００１】
本発明は、把持部に特徴を有する筆記具に関する。
【背景技術】
【０００２】
従来、高級感のある筆記具の把持部では、高級素材、漆、彫刻等の加飾によるものが公知であるが、握り易さや疲れ難さの機能性は付与されていなかった。そこで、外面が金属等の非ゴム系の硬質材料で形成されているものの、ユーザの種々の握り方に適合する把持部を備えた筆記具が、例えば特許文献１に開示されている。
【先行技術文献】
【特許文献】
【０００３】
【特許文献１】特開２０１６−０２００７４号公報
【発明の概要】
【発明が解決しようとする課題】
【０００４】
特許文献１に記載の筆記具では、把持部を構成する軸筒の外周に硬質のリング状部材を配置するとともに、軸筒とリング状部材との間に弾性部材を設けることにより、指の形状に沿うようにリング状部材の一端が径方向の内方へ移動して把持部が変形する。しかし、リング状部材の他端は径方向の外方へ突出することから、必ずしも把持部が指にフィットするものではなかった。
【０００５】
そこで、本発明は、硬質な外装部による高級感と、弾性体による弾力性とを有するだけではなく、指へのフィット感を向上させた把持部を備える筆記具を提供することを目的とする。
【課題を解決するための手段】
【０００６】
前述した目的を達成するため、本発明の第１の態様によれば、把持部に特徴を有する筆記具であって、筆記具の軸線を中心として放射方向に複数の溝部が形成された硬質の軸筒と、溝部の各々に配置された硬質の駒部材と、溝部の底面と駒部材の底面との間に配置されていて筆記具の径方向における前記駒部材の移動を可能にする弾性体と、を有する把持部を備える、筆記具が提供される。
本発明の第２の態様によれば、第１の態様において、駒部材が、溝部において軸線方向で直列に複数配置されている、筆記具が提供される。
本発明の第３の態様によれば、第１又は第２の態様において、溝部の底面と駒部材の底面との少なくとも一方に窪部を有する、筆記具が提供される。
本発明の第４の態様によれば、第１〜第３のいずれかの態様において、溝部が、筆記具の径方向において、軸筒の外部側に形成した巾狭部と、巾狭部の内部側に隣設した巾広部と、を有し、駒部材が、巾狭部に配置される脚部と、脚部から延設されていて巾広部に配置される抜止部と、を有する、筆記具が提供される。
【発明の効果】
【０００７】
本発明によれば、硬質な外装部による高級感と、弾性体による弾力性とを有するだけではなく、指へのフィット感を向上させた把持部を備える筆記具を提供できる。
【図面の簡単な説明】
【０００８】
【図１】本発明の第１の実施形態における筆記具の側面図である。
【図２】本発明の第１の実施形態における筆記具の縦断面図である。
【図３】本発明の第１の実施形態における軸筒（把持軸）の斜視図である。
【図４Ａ】本発明の第１の実施形態における軸筒に装着される駒部材の斜視図である。
【図４Ｂ】本発明の第１の実施形態における軸筒に装着される駒部材の斜視図である。
【図５】本発明の第１の実施形態における軸筒に配置される弾性体の斜視図である。
【図６】本発明の第１の実施形態における把持部の斜視図である。
【図７】図６の線ＶＩＩ−ＶＩＩに沿った把持部の横断面図である。
【図８】本発明の第２の実施形態における駒部材の斜視図である。
【図９Ａ】本発明の第２の実施形態における把持部の側面図である。
【図９Ｂ】図９Ａの線ＩＸ−ＩＸに沿った把持部の横断面図である。
【図１０】本発明の第３の実施形態における駒部材及び弾性体の斜視図である。
【図１１】本発明の第３の実施形態における把持部の斜視図である。
【図１２】図１１の線ＸＩＩ−ＸＩＩに沿った把持部の横断面図である。
【発明を実施するための形態】
【０００９】
以下、添付図面を参照して、本発明の実施形態を詳細に説明する。各図面において、同様の構成要素には同様の符号が付与されている。なお、以下に記載される内容は、特許請求の範囲に記載される発明の技術的範囲及び用語の意義を限定するものではない。
【００１０】
図１は、第１の実施形態における筆記具１の側面図である。本実施形態では、筆記具１としてノック式シャープペンシルを例に説明するが、本発明はシャープペンシルに限定されるものではなく、ボールペンその他のペンにも適用できることに留意されたい。なお、本明細書において、軸線方向Ａにおいて筆記具の先端側を「前」と規定し、筆記具の後端側を「後」と規定するとともに、径方向Ｂにおいて筆記具の外部側を「外」と規定し、筆記具の内部側を「内」と規定する。
【００１１】
まず、筆記具１の全体構成について概説する。図１に示すように、筆記具１は、概して、芯を送出して筆記を可能にする筆記部１０と、指で把持される把持部２０と、把持部２０の後方に位置する軸部３０と、芯出し操作を行う操作部４０と、を有する。
【００１２】
図２は、第１の実施形態における筆記具１の縦断面図である。筆記部１０は、芯を保護するガイドパイプ１１と、筆記具１の先端部を覆う口金１２と、ガイドパイプ１１の後方に配置されていて芯戻りを防止する芯戻止め１３と、芯戻止め１３の後方に配置されていて芯を送出す芯チャック１４と、軸線方向Ａにおける芯チャック１４の移動を可能にするスプリング１５と、芯チャック１４へ芯を１本ずつ送出す芯ガイド１６と、芯ガイド１６の後方に配置されていて芯を格納する芯タンク１７と、を有する。
【００１３】
把持部２０は、口金１２に螺合する前軸２１と、径方向Ｂにおいて前軸２１の外側を覆う把持軸２２と、把持軸２２に装着される複数の駒部材５６、５７と、把持軸２２と駒部材５６、５７との間に配置される弾性体２４と、を有する。
【００１４】
軸部３０は、把持軸２２の後方に位置する軸飾り３１と、軸飾り３１を受容する軸飾り受容部３２と、前軸２１の後端部に固定される軸継手３３と、軸継手３３に螺合する後軸３４と、径方向Ｂにおいて後軸３４の外側に位置していてクリップ３５を有する外軸３６と、を有する。
【００１５】
操作部４０は、後軸３４の内面に形成した突起３８に係合していて芯タンク１７の後端を受容するノック部４１と、後軸３４の後端に螺合してノック部４１を係止する係止リング４２と、軸線方向Ａにおけるノック部４１の移動を可能にするスプリング４３と、ノック部４１の凹部に挿入される消しゴム４４と、消しゴム４４を覆うノックカバー４５と、を有する。
【００１６】
本明細書において、前述した前軸２１、把持軸２２、後軸３４、及び外軸３６を含む軸を「軸筒５０」と称する。他の実施形態において、前軸２１、把持軸２２、後軸３４、及び外軸３６は一体的に形成されてもよく、この場合には軸筒５０が単一体として形成される。
【００１７】
続いて、本発明の特徴部分である把持部２０の構成について詳細に説明する。図３〜図５は、把持部２０の構成部材を示す。図３は、軸筒５０（把持軸２２）の斜視図である。軸筒５０は、アルミニウム等の金属、非ゴム系プラスチック（ゴム、エラストマー等の弾性材料を除く）、木材、ガラス、又は宝石類等を含む硬質材料を用いて、押出成形、射出成形又は切削等により形成される。軸筒５０は、噴霧器又は真空蒸着等により形成した被膜を有し、着色又は光沢が施される。
【００１８】
軸筒５０の外面には、軸線Ｘを中心として放射方向Ｂに６つの溝部５１が形成される。溝部５１は、軸線方向Ａに沿って直線状に延在していて、周方向Ｃにおいて等間隔に配置される。他の実施形態において、溝部５１は、駒部材５６、５７に対応して軸線方向Ａに沿って５つ形成されてもよい。
【００１９】
溝部５１は、径方向Ｂにおいて、軸筒５０の外部側に形成した巾狭部５２と、巾狭部５２の内部側に隣設した巾広部５３と、を有する。巾狭部５２は、駒部材５６、５７が軸筒５０から径方向Ｂの外方へ抜けるのを防止する。巾広部５３は、径方向Ｂにおける駒部材５６、５７の移動範囲を制限する。溝部５１の底面５４には、弾性体２４を受容する窪部５５が形成される。窪部５５は、溝部５１の中で弾性体２４の位置を概ね固定する。
【００２０】
図４Ａ及び図４Ｂは、軸筒５０に装着される駒部材５６、５７の斜視図である。駒部材５６、５７は、アルミニウム等の金属、非ゴム系プラスチック（ゴム、エラストマー等の弾性材料を除く）、木材、ガラス、又は宝石類等を含む硬質材料を用いて、押出成形、射出成形、又は切削等により形成される。把持部２０の外装部を構成する軸筒５０及び駒部材５６、５７が硬質材料で形成されることにより、筆記具１に高級感が付与される。駒部材５６、５７に用いる硬質材料は、軸筒５０に用いる硬質材料と同じ材質でもよいし又は異なる材質でもよい。駒部材５６、５７は、噴霧器又は真空蒸着等により形成した被膜を有し、着色や光沢が施される。
【００２１】
駒部材５６は、図３に示す溝部５１において筆記具の先端側に１つ配置されるのに対し、駒部材５７は、駒部材５６の後方に４つ配置される。駒部材５６は、図２に示すテーパ形状の口金１２へ連続的な形状を呈するように傾斜面６０を有している。他の実施形態においては、駒部材５６は、傾斜面６０を有さず、駒部材５７と同じ形状であってもよい。駒部材５６、５７は、図３に示す溝部５１の巾狭部５２に配置される脚部５８と、脚部５８から両側へ延設されていて溝部５１の巾広部５３に配置される抜止部５９と、を有する。
【００２２】
駒部材５６、５７の底面６１には、弾性体２４を受容する窪部６２が形成される。窪部６２は、図３に示す溝部５１の中における弾性体２４の位置を概ね固定する。他の実施形態において、駒部材５６、５７が窪部６２を有していない一方で、溝部５１が窪部５５を有していてもよい。代わりに、駒部材５６、５７が窪部６２を有する一方で、溝部５１が窪部５５を有していなくてもよい。換言すると、駒部材５６、５７及び溝部５１の少なくとも一方が窪部を有することにより、溝部５１の中における弾性体２４の位置を概ね固定できる。
【００２３】
図５は、軸筒５０に配置される弾性体２４の斜視図である。弾性体２４は、ゴム又はエラストマー等の弾力性を有する軟質材料を用いて形成され、径方向Ｂにおける駒部材５６、５７の移動を可能にする。他の実施形態において、弾性体２４は径方向Ｂに弾発するスプリング等でもよい。弾性体２４は、軸線方向Ａに沿って延在する直方体形状を有する。代わりに、弾性体２４は、軸線方向Ａに沿って延在する円柱形状を有していてもよい。弾性体２４の各々は、単一色で着色されてもよいし、使用者の興趣がわくように複数色で色分けされていてもよい。
【００２４】
図６は、本実施形態における把持部２０の斜視図である。把持部２０は、限定されないものの、まず、軸筒５０の溝部５１の中に弾性体２４を挿入し、次いで、弾性体２４を覆うように溝部５１の中に駒部材５６、５７を挿入することにより組立てられる。弾性体２４及び駒部材５６、５７は、溝部５１の各々に配置される。溝部５１の各々において、１つの駒部材５６と４つの駒部材５７とを含む計５つの駒部材が軸線方向Ａにおいて直列に配置される。軸線方向Ａにおいて直列に配置された５つの駒部材５６、５７のうち、指に接触する駒部材のみが径方向Ｂの内方へ付勢されるため、把持部２０の変形が必要最小限になり、指へのフィット感が向上する。
【００２５】
他の実施形態において、軸線方向Ａで直列に配置される５つの駒部材５６、５７はヒンジ等で連結して一体的に形成されてもよい。駒部材５６、５７が一体的に成形されることにより、製造コストが低減されるとともに、溝部５１への駒部材５６、５７の組込みが容易になる。
【００２６】
図７は、図６の線ＶＩＩ−ＶＩＩに沿った把持部２０の横断面図である。溝部５１の底面５４と駒部材５７の底面６１との間には、弾性体２４が配置される。弾性体２４は径方向Ｂにおける駒部材５７の移動を可能にし、指による押圧に応じて駒部材５７が径方向Ｂの内方へ付勢され、指の解放に応じて駒部材５７が径方向Ｂの外方へ復元する。周方向Ｃで等間隔に配置された６つの駒部材５７のうち、指に接触する駒部材のみが径方向Ｂの内方へ付勢されるため、把持部２０の変形が必要最小限になり、指へのフィット感が更に向上する。
【００２７】
次に、図８及び図９を参照して、第２の実施形態における筆記具について説明する。第２の実施形態における筆記具の全体構成は、第１の実施形態における筆記具１の全体構成と同じであるため、説明を省略する。第２の実施形態における筆記具の把持部は、駒部材７１の形状が異なる点で、第１の実施形態における筆記具１の把持部２０の構成と異なる。
【００２８】
図８は、第２の実施形態における駒部材７１の斜視図である。駒部材７１は、脚部７２及び抜止部７３だけではなく、脚部７２から両側へ延設した鎧部７４を有する。
【００２９】
図９Ａは、第２の実施形態における把持部７０の側面図である。第１の実施形態と同じく、把持部７０は、軸線方向Ａにおいて直列に５つの駒部材７１を有する。駒部材７１の鎧部７４は、概ね把持部７０の外面全体を構成するように寸法決めされる。
【００３０】
図９Ｂは、図９Ａの線ＩＸ−ＩＸに沿った把持部７０の横断面図である。把持部７０は、周方向Ｃにおいて隙間７５を隔てて６つの駒部材７１を有する。隙間７５は、隣接する２つの駒部材７１が径方向Ｂの内方へ押圧されたときに接触しないような遊びとして寸法決めされる。第１の実施形態と同様に、駒部材７１の脚部７２が軸筒７６の巾狭部７７に配置される一方で、駒部材７１の抜止部７３が軸筒７６の巾広部７８に配置される。そして、駒部材７１の鎧部７４は、周方向Ｃにおいて隣接する駒部材７１の鎧部７４との間に隙間７５を隔てているものの、概ね軸筒７６の外面全体を覆う。これにより、指が必ず駒部材７１のいずれかに接触するため、指へのフィット感が更に向上する。
【００３１】
続いて、図１０〜図１２を参照して、第３の実施形態における筆記具について説明する。第３の実施形態における筆記具の全体構成は、第１の実施形態における筆記具１の全体構成と同じであるため、説明を省略する。第３の実施形態における筆記具の把持部は、駒部材８１に弾性体８２が一体化されている点で、第１の実施形態における把持部２０の構成と異なる。
【００３２】
図１０は、第３の実施形態における駒部材８１及び弾性体８２の斜視図である。駒部材８１及び弾性体８２はダブルモールド（二色成形若しくは異材質成形）又は接着剤等により一体化され、駒部材８１の底面８３に弾性体８２が固定される。これにより、駒部材８１及び弾性体８２を軸筒に組込み易くなる。駒部材８１及び弾性体８２は、使用者の興趣がわくように異なる色で着色されることが好ましい。弾性体８２の軸線方向Ａにおける長さは駒部材８１と概ね同じであるか又は駒部材８１より短い。これにより、軸筒の溝部において複数の駒部材８１を隙間無く直列に配置できる。駒部材８１は、指で押圧される脚部８４と、脚部８４から両側へ延設された抜止部８５と、を有する。
【００３３】
図１１は、第３の実施形態における把持部８０の斜視図である。把持部８０は、第１の実施形態と概ね同じ形状の軸筒５０と、弾性体８２と一体化した駒部材８１と、を含む。把持部８０は、軸筒５０の各々の溝部５１の中に、弾性体８２と一体化した駒部材８１を５つ直列に挿入するだけで組立てることができる。第１の実施形態においては、軸筒５０の溝部５１の中に駒部材を挿入する際に、予め配置された弾性体が位置ずれし易いものの、第３の実施形態においては、駒部材８１が弾性体８２と一体化されているため、軸筒５０の溝部５１の中に容易に挿入できる。そして、軸線方向Ａにおいて直列に配置された５つの駒部材８１のうち、指に接触する駒部材のみが径方向Ｂの内方へ付勢されるため、把持部８０の変形が必要最小限になり、指へのフィット感が向上する。
【００３４】
図１２は、図１１の線ＸＩＩ−ＸＩＩに沿った把持部８０の横断面図である。溝部５１の底面５４と駒部材８１の底面８３との間には、駒部材８１と一体化した弾性体８２が配置される。さらに、弾性体８２は、溝部５１の底面５４に形成された窪部５５に配置されるため、溝部５１の中における弾性体８２の位置が概ね固定される。弾性体８２は、径方向Ｂにおける駒部材８１の移動を可能にし、指による押圧に応じて駒部材８１が径方向Ｂの内方へ付勢され、指の解放に応じて駒部材８１が径方向Ｂの外方へ復元する。周方向Ｃで等間隔に配置された６つの駒部材８１のうち、指に接触する駒部材のみが径方向Ｂの内方へ付勢されるため、把持部８０の変形が必要最小限になり、指へのフィット感が更に向上する。
【００３５】
本明細書において種々の実施形態について説明したが、本発明は、前述した種々の実施形態に限定されるものではなく、以下の特許請求の範囲に記載された範囲内において種々の変更を行えることを認識されたい。
【符号の説明】
【００３６】
１    筆記具
２０、７０、８０    把持部
２４、８２    弾性体
５０、７６    軸筒
５１    溝部
５２、７７    巾狭部
５３、７８    巾広部
５５、６２    窪部
５６、５７、７１、８１    駒部材
５８、７２    脚部
５９、７３    抜止部
Ａ    軸線方向
Ｂ    径方向
Ｘ    軸線
【図１】
2018069567.tif 000003
【図２】
2018069567.tif 000004
【図３】
2018069567.tif 000005
【図４Ａ】
2018069567.tif 000006
【図４Ｂ】
2018069567.tif 000007
【図５】
2018069567.tif 000008
【図６】
2018069567.tif 000009
【図７】
2018069567.tif 000010
【図８】
2018069567.tif 000011
【図９Ａ】
2018069567.tif 000012
【図９Ｂ】
2018069567.tif 000013
【図１０】
2018069567.tif 000014
【図１１】
2018069567.tif 000015
【図１２】
2018069567.tif 000016